【手続補正書】
【提出日】平成18年1月20日(2006.1.20)
【手続補正１】
【補正対象書類名】明細書
【補正対象項目名】発明の名称
【補正方法】変更
【補正の内容】
【発明の名称】情報処理装置および情報処理方法、情報処理システム、並びにプログラム
【手続補正２】
【補正対象書類名】明細書
【補正対象項目名】特許請求の範囲
【補正方法】変更
【補正の内容】
【特許請求の範囲】
【請求項１】  コンテンツに関する情報を基に前記コンテンツの属性情報を生成する情報処理装置において、
前記コンテンツに関する情報を取得する取得手段と、
前記取得手段により取得された前記コンテンツに関する情報に基づいて、前記コンテンツを分類する分類手段と、
前記コンテンツに関する情報を基に、前記属性情報を生成し、前記分類手段による分類結果を対応付ける属性情報生成手段と、
前記分類手段による分類結果に基づいて、前記コンテンツの集合であるコンテンツ群から、ユーザにより入力されたトピックに合致するコンテンツを検出し、検出された前記コンテンツの前記属性情報を基に、検出された前記コンテンツの特徴を示すユーザモデルを作成し、前記ユーザモデルと前記属性情報との類似度に基づいて、前記コンテンツ群から選択的に前記コンテンツを抽出するコンテンツ抽出手段と
を備えることを特徴とする情報処理装置。
【請求項２】  前記抽出手段により選択的に抽出された前記コンテンツの視聴を前記ユーザに推薦するための推薦情報を出力する出力手段を更に備える
ことを特徴とする請求項１に記載の情報処理装置。
【請求項３】  前記分類手段は、前記コンテンツに関する情報を基に、所定の条件に合致している前記コンテンツを検出し、
前記属性情報生成手段は、前記分類手段による分類を区別するための固有情報を、前記属性情報に対応付ける
ことを特徴とする請求項１に記載の情報処理装置。
【請求項４】  前記所定の条件は、前記コンテンツの放送または配信の開始時刻の差が、所定の時間以内であるという条件を含む
ことを特徴とする請求項３に記載の情報処理装置。
【請求項５】  前記コンテンツに関する情報は、複数の項目により構成され、
前記分類手段は、前記コンテンツに関する情報の所定の項目に、同一の単語を少なくとも１つ含んでいる前記コンテンツを検出し、
前記属性情報生成手段は、前記分類手段による分類を区別するための固有情報を、前記属性情報に対応付ける
ことを特徴とする請求項１に記載の情報処理装置。
【請求項６】  前記コンテンツに関する情報は、複数の項目により構成され、
前記分類手段は、前記コンテンツに関する情報の所定の項目を構成する単語の一致率が所定の値よりも大きい前記コンテンツを検出し、
前記属性情報生成手段は、前記分類手段による分類を区別するための固有情報を、前記属性情報に対応付ける
ことを特徴とする請求項１に記載の情報処理装置。
【請求項７】  前記属性情報生成手段は、更に、第１のコンテンツと同一の分類の第２のコンテンツに既に対応付けられている前記属性情報を、前記第１のコンテンツに対応付ける
ことを特徴とする請求項１に記載の情報処理装置。
【請求項８】  前記コンテンツは放送番組であり、
前記分類手段は、前記コンテンツに関する情報を基に、連続して放送される前記放送番組を１つの分類として分類し、
前記属性情報生成手段は、前記分類手段により、連続して放送される放送番組として分類された前記放送番組の前記属性情報を、第１回目の放送分の前記コンテンツに関する情報を用いて生成する
ことを特徴とする請求項７に記載の情報処理装置。
【請求項９】
前記ユーザの嗜好情報を記憶する記憶手段を更に備え、
前記コンテンツの前記属性情報は、前記コンテンツの分類を示す固有情報を含み、
前記コンテンツ抽出手段は、前記記憶手段により記憶されている前記嗜好情報と、前記属性情報生成手段により生成された前記属性情報とを比較することにより、前記ユーザの嗜好と合致した第１のコンテンツを検出し、前記固有情報を基に、前記ユーザの嗜好と合致した前記第１のコンテンツと同一の分類の第２のコンテンツを、前記ユーザの嗜好と合致するコンテンツとして更に抽出する
ことを特徴とする請求項１に記載の情報処理装置。
【請求項１０】  コンテンツに関する情報を基に前記コンテンツの属性情報を生成する情報処理装置の情報処理方法において、
前記コンテンツに関する情報に基づいて、前記コンテンツを分類する分類ステップと、
前記コンテンツに関する情報を基に、前記属性情報を生成する属性情報生成ステップと、
前記分類ステップの処理による分類結果に基づいて、前記コンテンツの集合であるコンテンツ群からユーザにより入力されたトピックに合致するコンテンツを抽出し、抽出された前記コンテンツの前記属性情報を基に、抽出された前記コンテンツの特徴を示すユーザモデルを作成する作成ステップと、
前記作成ステップの処理により作成された前記ユーザモデルと前記属性情報との類似度に基づいて、前記コンテンツ群から選択的に前記コンテンツを抽出するコンテンツ抽出ステップと
を含むことを特徴とする情報処理方法。
【請求項１１】  コンテンツに関する情報を基に前記コンテンツの属性情報を生成する処理をコンピュータに実行させるプログラムであって、
前記コンテンツに関する情報に基づいて、前記コンテンツを分類する分類ステップと、
前記コンテンツに関する情報を基に、前記属性情報を生成する属性情報生成ステップと、
前記分類ステップの処理による分類結果に基づいて、前記コンテンツの集合であるコンテンツ群からユーザにより入力されたトピックに合致するコンテンツを抽出し、抽出された前記コンテンツの前記属性情報を基に、抽出された前記コンテンツの特徴を示すユーザモデルを作成する作成ステップと、
前記作成ステップの処理により作成された前記ユーザモデルと前記属性情報との類似度に基づいて、前記コンテンツ群から選択的に前記コンテンツを抽出するコンテンツ抽出ステップと
を含むことを特徴とする処理をコンピュータに実行させるためのプログラム。
【請求項１２】  コンテンツに関する情報を基に前記コンテンツの属性情報を生成する第１の情報処理装置と、
前記第１の情報処理装置から供給された前記コンテンツの属性情報を基に、前記コンテンツの集合であるコンテンツ群から前記コンテンツを抽出する処理を実行する第２の情報処理装置と
で構成される情報処理システムにおいて、
前記第１の情報処理装置は、
前記コンテンツに関する情報を取得する第１の取得手段と、
前記第１の取得手段により取得された前記コンテンツに関する情報に基づいて、前記コンテンツを分類する分類手段と、
前記コンテンツに関する情報を基に、前記属性情報を生成する属性情報生成手段と、
前記属性情報生成手段により生成された前記属性情報と、前記分類手段による分類結果を対応付けて、他の情報処理装置に送信する送信手段と
を備え、
前記第２の情報処理装置は、
前記送信手段により前記第１の情報処理装置から送信された前記属性情報および前記分類結果を取得する第２の取得手段と、
前記分類手段による分類結果に基づいて、前記コンテンツの集合であるコンテンツ群から、ユーザにより入力されたトピックに合致するコンテンツを検出し、検出された前記コンテンツの前記属性情報を基に、検出された前記コンテンツの特徴を示すユーザモデルを作成し、前記ユーザモデルと前記属性情報との類似度に基づいて、前記コンテンツ群から選択的に前記コンテンツを抽出するコンテンツ抽出手段と
を備えることを特徴とする情報処理システム。
【手続補正３】
【補正対象書類名】明細書
【補正対象項目名】０００１
【補正方法】変更
【補正の内容】
【０００１】
【発明の属する技術分野】
本発明は、情報処理装置および情報処理方法、情報処理システム、並びにプログラムに関し、特に、テレビジョン放送やラジオ放送などの番組や、ストリーミングデータなどを視聴するユーザに対して、例えば、自動録画や番組などの推薦を行う場合に用いて好適な、情報処理装置および情報処理方法、情報処理システム、並びにプログラムに関する。
【手続補正４】
【補正対象書類名】明細書
【補正対象項目名】００１７
【補正方法】変更
【補正の内容】
【００１７】
【課題を解決するための手段】
本発明の情報処理装置は、コンテンツに関する情報を取得する取得手段と、取得手段により取得されたコンテンツに関する情報に基づいて、コンテンツを分類する分類手段と、コンテンツに関する情報を基に、属性情報を生成し、分類手段による分類結果を対応付ける属性情報生成手段と、分類手段による分類結果に基づいて、コンテンツの集合であるコンテンツ群から、ユーザにより入力されたトピックに合致するコンテンツを検出し、検出されたコンテンツの属性情報を基に、検出されたコンテンツの特徴を示すユーザモデルを作成し、ユーザモデルと属性情報との類似度に基づいて、コンテンツ群から選択的にコンテンツを抽出するコンテンツ抽出手段とを備えることを特徴とする。
【手続補正５】
【補正対象書類名】明細書
【補正対象項目名】００１８
【補正方法】変更
【補正の内容】
【００１８】
抽出手段により選択的に抽出されたコンテンツの視聴をユーザに推薦するための推薦情報を出力する出力手段を更に備えさせるようにすることができる。
【手続補正６】
【補正対象書類名】明細書
【補正対象項目名】００２４
【補正方法】変更
【補正の内容】
【００２４】
コンテンツは放送番組であるものとすることができ、分類手段には、コンテンツに関する情報を基に、連続して放送される放送番組を１つの分類として分類させるようにすることができ、属性情報生成手段には、分類手段により、連続して放送される放送番組として分類された放送番組の属性情報を、第１回目の放送分のコンテンツに関する情報を用いて生成させるようにすることができる。
ユーザの嗜好情報を記憶する記憶手段を更に備えさせるようにすることができ、コンテンツの属性情報には、コンテンツの分類を示す固有情報を含ませるようにすることができ、コンテンツ抽出手段には、記憶手段により記憶されている嗜好情報と、属性情報生成手段により生成された属性情報とを比較させることにより、ユーザの嗜好と合致した第１のコンテンツを検出させるようにすることができ、固有情報を基に、ユーザの嗜好と合致した第１のコンテンツと同一の分類の第２のコンテンツを、ユーザの嗜好と合致するコンテンツとして更に抽出させるようにすることができる。
【手続補正７】
【補正対象書類名】明細書
【補正対象項目名】００２５
【補正方法】変更
【補正の内容】
【００２５】
本発明の情報処理方法は、コンテンツに関する情報に基づいて、コンテンツを分類する分類ステップと、コンテンツに関する情報を基に、属性情報を生成する属性情報生成ステップと、分類ステップの処理による分類結果に基づいて、コンテンツの集合であるコンテンツ群からユーザにより入力されたトピックに合致するコンテンツを抽出し、抽出されたコンテンツの属性情報を基に、抽出されたコンテンツの特徴を示すユーザモデルを作成する作成ステップと、作成ステップの処理により作成されたユーザモデルと属性情報との類似度に基づいて、コンテンツ群から選択的にコンテンツを抽出するコンテンツ抽出ステップとを含むことを特徴とする。
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】変更
【補正の内容】
【００２７】
本発明のプログラムは、コンテンツに関する情報に基づいて、コンテンツを分類する分類ステップと、コンテンツに関する情報を基に、属性情報を生成する属性情報生成ステップと、分類ステップの処理による分類結果に基づいて、コンテンツの集合であるコンテンツ群からユーザにより入力されたトピックに合致するコンテンツを抽出し、抽出されたコンテンツの属性情報を基に、抽出されたコンテンツの特徴を示すユーザモデルを作成する作成ステップと、作成ステップの処理により作成されたユーザモデルと属性情報との類似度に基づいて、コンテンツ群から選択的にコンテンツを抽出するコンテンツ抽出ステップとを含むことを特徴とする処理をコンピュータに実行させる。
【手続補正１０】
【補正対象書類名】明細書
【補正対象項目名】００２８
【補正方法】変更
【補正の内容】
【００２８】
本発明の情報処理装置および情報処理方法、並びに、プログラムにおいては、コンテンツに関する情報に基づいて、コンテンツが分類され、コンテンツに関する情報を基に、属性情報が生成され、分類結果に基づいて、コンテンツ群からユーザにより入力されたトピックに合致するコンテンツが抽出され、抽出されたコンテンツの属性情報を基に、抽出されたコンテンツの特徴を示すユーザモデルが作成され、ユーザモデルと属性情報との類似度に基づいて、コンテンツ群から選択的にコンテンツが抽出される。
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】変更
【補正の内容】
【００３４】
本発明の情報処理システムは、第１の情報処理装置が、コンテンツに関する情報を取得する第１の取得手段と、第１の取得手段により取得されたコンテンツに関する情報に基づいて、コンテンツを分類する分類手段と、コンテンツに関する情報を基に、属性情報を生成する属性情報生成手段と、属性情報生成手段により生成された属性情報と、分類手段による分類結果を対応付けて、他の情報処理装置に送信する送信手段とを備え、第２の情報処理装置が、送信手段により第１の情報処理装置から送信された属性情報および分類結果を取得する第２の取得手段と、分類手段による分類結果に基づいて、コンテンツの集合であるコンテンツ群から、ユーザにより入力されたトピックに合致するコンテンツを検出し、検出されたコンテンツの属性情報を基に、検出されたコンテンツの特徴を示すユーザモデルを作成し、ユーザモデルと属性情報との類似度に基づいて、コンテンツ群から選択的にコンテンツを抽出するコンテンツ抽出手段とを備えることを特徴とする。
【手続補正１７】
【補正対象書類名】明細書
【補正対象項目名】００３５
【補正方法】変更
【補正の内容】
【００３５】
本発明の情報処理システムにおいては、第１の情報処理装置で、コンテンツに関する情報が取得され、取得されたコンテンツに関する情報に基づいて、コンテンツが分類され、コンテンツに関する情報を基に、属性情報が生成され、生成された属性情報と、分類手段による分類結果が対応付けられて、他の情報処理装置に送信され、第２の情報処理装置で、第１の情報処理装置から送信された属性情報および分類結果が取得され、分類結果に基づいて、コンテンツ群から、ユーザにより入力されたトピックに合致するコンテンツが抽出され、抽出されたコンテンツの前記属性情報を基に、検出された前記コンテンツの特徴を示すユーザモデルが作成され、ユーザモデルと属性情報との類似度に基づいて、コンテンツ群から選択的にコンテンツが抽出される。
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】削除
【補正の内容】
【手続補正２１】
【補正対象書類名】明細書
【補正対象項目名】００３９
【補正方法】削除
【補正の内容】
【手続補正２２】
【補正対象書類名】明細書
【補正対象項目名】００４０
【補正方法】削除
【補正の内容】
【手続補正２３】
【補正対象書類名】明細書
【補正対象項目名】００４１
【補正方法】削除
【補正の内容】
【手続補正２４】
【補正対象書類名】明細書
【補正対象項目名】００４２
【補正方法】削除
【補正の内容】
【手続補正２５】
【補正対象書類名】明細書
【補正対象項目名】００４３
【補正方法】削除
【補正の内容】
【手続補正２６】
【補正対象書類名】明細書
【補正対象項目名】００４４
【補正方法】削除
【補正の内容】
【手続補正２７】
【補正対象書類名】明細書
【補正対象項目名】０４６３
【補正方法】変更
【補正の内容】
【０４６３】
【発明の効果】
このように、本発明によれば、コンテンツの属性情報を生成することができる。特に、コンテンツの分類に基づいて、属性情報を生成することができる。
また、本発明によれば、ユーザの嗜好と合致したコンテンツが抽出される。特に、コンテンツの分類に基づいて、コンテンツが抽出されるので、ユーザの嗜好に正しく合致したコンテンツを抽出することができる。